(57)【要約】【課題】  予め送信できる宛先の一覧を記憶させておきその宛先と違った宛先を入力したら警告文を表示することにより誤った宛先を入力したことを認識することが出来るファクシミリ装置を提供すること。【解決手段】  ファクシミリ送信が可能な宛先の番号を記憶する記憶手段と、宛先として入力された番号を１桁毎に前記内部記憶手段に記憶された送信可能な宛先と照合を行う手段と、照合が取れなかったときに警告を表示する表示手段とを備えたことを特徴とする。【選択図】    図１
2007082061.tif 000002
【特許請求の範囲】
【請求項１】
ファクシミリ送信が可能な宛先の番号を記憶する記憶手段と、
宛先として入力された番号を１桁毎に前記内部記憶手段に記憶された送信可能な宛先と照合を行う手段と、
照合が取れなかったときに警告を表示する表示手段と
を備えたことを特徴とするファクシミリ装置。
【請求項２】
照合が取れなかった時にその宛先の設定を禁止する手段を備えたことを特徴とする請求項１に記載のファクシミリ装置。
【請求項３】
前記記憶手段が外部記憶手段である事を特徴とする請求項１に記載のファクシミリ装置。
【請求項４】
照合が取れない場合に強制的にファクシミリ送信することを特徴とする請求項１に記載のファクシミリ装置。
【請求項５】
整合が取れなかった宛先を前記記憶手段に追加で記憶することを特徴とする請求項４に記載のファクシミリ装置。
【請求項６】
整合が取れなかった場合の動作を選択可能としたことを特徴とする請求項５に記載のファクシミリ装置。
【請求項７】
照合が取れない場合に整合が取れなかった桁数に入力可能な数字を表示させることを特徴とする請求項１に記載のファクシミリ装置。
【発明の詳細な説明】
【技術分野】
【０００１】
本発明は、通信装置の１つであるファクシミリ装置に関し、特に、ファクシミリ装置における宛先入力に関する。
【背景技術】
【０００２】
ファクシミリ装置は、指定した宛先に文書をファクシミリ送信できる大変利便性の高いものである。
【発明の開示】
【発明が解決しようとする課題】
【０００３】
一方、近年、ファクシミリの宛先の入力ミスにより意図しない宛先にファクシミリ送信されてしまうという事が問題になっている。
【０００４】
本発明は係る事情に鑑みてなされたものであり、予め送信できる宛先の一覧を記憶させておきその宛先と違った宛先を入力したら警告文を表示することにより誤った宛先を入力したことを認識することが出来るファクシミリ装置を提供することを目的とする。更に、誤った宛先は絶対に入力できないようにして誤送信を防ぐことを目的とする。また、送信可能な宛先を記憶する装置が機器内部の記憶装置のみでなく外部記憶装置も使えることによりより多くの宛先を記憶できるようにすることを目的とする。また、送信可能宛先に記憶されていない宛先でも一時的に送信できるようにすることを目的とする。また、一時的に使用した宛先を今後、送信可能宛先として使用したい場合に登録が出来るようにすることを目的とする。利用者の使用環境に合わせた機器の設定が出来るようにすることを目的とする。また、ファクシミリの宛先で番号を入力する時に自動的に次に指定できる数字が限定されることで入力ミスが少なくすることを目的とする。
【課題を解決するための手段】
【０００５】
請求項１に記載のファクシミリ装置は、ファクシミリ送信が可能な宛先の番号を記憶する記憶手段と、宛先として入力された番号を１桁毎に前記内部記憶手段に記憶された送信可能な宛先と照合を行う手段と、照合が取れなかったときに警告を表示する表示手段とを備えたことを特徴とする。
【０００６】
請求項２に記載のファクシミリ装置は、請求項１に記載のファクシミリ装置において、照合が取れなかった時にその宛先の設定を禁止する手段を備えたことを特徴とする。
【０００７】
請求項３に記載のファクシミリ装置は、請求項１に記載のファクシミリ装置において、前記記憶手段が外部記憶手段である事を特徴とする。
【０００８】
請求項４に記載のファクシミリ装置は、請求項１に記載のファクシミリ装置において、照合が取れない場合に強制的にファクシミリ送信することを特徴とする。
【０００９】
請求項５に記載のファクシミリ装置は、請求項４に記載のファクシミリ装置において、整合が取れなかった宛先を前記記憶手段に追加で記憶することを特徴とする。
【００１０】
請求項６に記載のファクシミリ装置は、請求項５に記載のファクシミリ装置において、整合が取れなかった場合の動作を選択可能としたことを特徴とする。
【００１１】
請求項７に記載のファクシミリ装置は、請求項１に記載のファクシミリ装置において、照合が取れない場合に整合が取れなかった桁数に入力可能な数字を表示させることを特徴とする。
【発明の効果】
【００１２】
請求項１に係る発明によれば、予め送信できる宛先の一覧を記憶させておきその宛先と違った宛先を入力したら警告文を表示することにより誤った宛先を入力したことを認識することが可能となる効果が得られる。
【００１３】
請求項２に係る発明によれば、誤った宛先は絶対に入力できないようにして誤送信を防ぐことが可能となる効果が得られる。
【００１４】
請求項３に係る発明によれば、送信可能な宛先を記憶する装置が機器内部の記憶装置のみでなく外部記憶装置も使えることによりより多くの宛先を記憶できるようにすることが可能となる効果が得られる。
【００１５】
請求項４に係る発明によれば、送信可能宛先に記憶されていない宛先でも一時的に送信できるようにすることが可能となる効果が得られる。
【００１６】
請求項５に係る発明によれば、一時的に使用した宛先を今後、送信可能宛先として使用したい場合に登録が出来るようになる効果が得られる。
【００１７】
請求項６に係る発明によれば、請求項５の動作のON/OFFを選択できるようにすることで利用者の使用環境に合わせた機器の設定が出来るようになる。
【００１８】
請求項７に係る発明によれば、ファクシミリの宛先で番号を入力する時に自動的に次に指定できる数字が限定されることで入力ミスが少なくなるという効果が得られる。
【発明を実施するための最良の形態】
【００１９】
以下、添付図面を参照しながら、本発明を実施するための最良の形態について説明する。
【００２０】
図１に本発明の請求項１に係るファクシミリ装置の全体構成を示す。
【００２１】
同図において、１は、送信する画像を読み取るスキャナー部である。２は、受信した画像を印刷するプロッター部である。３は、キーの入力や機器の状態や設定項目を表示する操作表示部である。４は、送信する画像や受信した画像を一時的に蓄積保存しておく画像データ蓄積部である。５は、システム全体を制御するシステム制御部である。６は、操作表示部から入力されたＦＡＸの送信しようとしている宛先と機器から送信可能な宛先とを照合し送信可能な宛先か否かを判断する宛先照合部である。７は、ＦＡＸする画情報を符号化、復号化する符号化・復号化部である。８は、一般公衆網に送信・受信するデータを変調・復調するモデムである。９は、一般公衆網との機器とのアナログのインターフェースであるＮＣＵ（Ｎｅｔｗｏｒｋ  Ｃｏｎｔｒｏｌ  Ｕｎｉｔ）である。１０は、ＬＡＮとのインターフェース部である。１１は、機器として送信を許可している宛先を記憶している送信可能宛先記憶部である。１２は、機器として送信を許可している宛先を記憶している機器の外部にネットワーク経由で接続されている外部送信可能宛先記憶部である。
【００２２】
以上の構成で、本発明においては予め本機器よりファクシミリ送信が可能な宛先を１１の送信可能宛先記憶部に記憶しておく。
【００２３】
図２に記憶されている状態を示す。
【００２４】
図５に、図１に示した本発明を実施するための最良の形態に係るファクシミリ装置における制御手順を示す。
【００２５】
同図において、ファクシミリの宛先の入力画面より宛先の入力（Ｓ１）があったら入力が入力された桁数までの数字を１１の送信可能宛先記憶部と比較し照合する（Ｓ２）。
【００２６】
その場合、送信可能宛先入力部１１は図８のように最初の桁からソートされている状態で記憶しておく事により照合を容易にする。
【００２７】
照合の結果一致しない場合は、図３のような不整合の旨の警告表示を行い（Ｓ４）送信動作を中断する（Ｓ５）。
【００２８】
Ｓ３で照合の結果、一致した場合は、すべての宛先入力が完了したかどうかの判断を行う（Ｓ６）。もし１宛先分の入力が完了した場合は、１宛先の入力を完了と見なす。（Ｓ７）もしまだ１宛先分の入力が完了していない場合はＳ１にもどり次の入力を待つ。
【００２９】
以上が請求項１に係る動作となるが、請求項２においては、請求項１において中断した（Ｓ５）した場合に、その宛先への送信を禁止するようにする（当該宛先について禁止を示すフラグを立てる等する）。
【００３０】
請求項３においては、請求項１において送信可能宛先記憶部１１が機器内部の記憶装置でなくネットワーク経由で接続されている外部送信可能宛先記憶部を使用する。
【００３１】
請求項４においては、請求項１においてフローのＳ４で照合に失敗した場合に図４の照合失敗の旨の警告分を表示し照合失敗の宛先でも強制的に送信するを選択した場合にその入力された数字を有効として動作を継続する（Ｓ８）。
【００３２】
請求項５においては、請求項４で照合に失敗したが強制的に送信した場合にその宛先を新たに送信可能宛先記憶部１１に追加で記憶するようにする（図５のＳ９、Ｓ１０）。
【００３３】
請求項６においては、請求項４のＳ８の動作を機器の設定により切り替えられるようにする。
【００３４】
請求項７においては、請求項１において数字が入力されたら次に入力可能な宛先の数字のみを選択できるようにするようにする。その場合、画面としては図６のように最初に”０”が入力されたら次に選択が出来る数字は送信可能宛先記憶部１１の宛先をソートして図８のように次に選択できる数字を一覧にする。図８の例では２，３，４、５，６，８が次に選択可能な数字である。図６でも２，３，４、５，６，８は有効なボタンとしてそれ以外のボタンは無効なボタンとして半輝度にして選択できないようにする。
【００３５】
図７にその場合のフロー図を示す。
【００３６】
同図において、最初に１桁の入力があったら（Ｓ１００）、そこで宛先の入力が完了かをチェックする（Ｓ１０１）。もし完了なら宛先の入力が終わったものとして宛先入力の処理は終了する（Ｓ１０７）。入力が終わっていない場合は図８の送信可能宛先記憶部１１より次に入力可能な数字の候補を表示する（１０２，１０３，１０５）。もし候補が存在しない場合は警告を表示する（Ｓ１０６）。
【００３７】
なお、以上本発明を実施するための最良の形態について説明したが、本発明は上記のものに限定されるものではなく、その要旨を逸脱しない範囲で種々変更可能であることはいうまでもない。
【図面の簡単な説明】
【００３８】
【図１】本発明を実施するための最良の形態に係るファクシミリ装置の全体構成について示す図である。
【図２】送信可能宛先一覧について示す図である。
【図３】表示例を示す図である。
【図４】表示例を示す図である。
【図５】図１のファクシミリ装置における制御手順について示すフローチャートである。
【図６】宛先入力キーについて示す図である。
【図７】図１のファクシミリ装置における別の制御手順について示すフローチャートである。
【図８】送信可能宛先一覧のソートについて示す図である。
【符号の説明】
【００３９】
１  スキャナー
２  プロッター
５  システム制御部
【図１】
2007082061.tif 000003
【図２】
2007082061.tif 000004
【図３】
2007082061.tif 000005
【図４】
2007082061.tif 000006
【図５】
2007082061.tif 000007
【図６】
2007082061.tif 000008
【図７】
2007082061.tif 000009
【図８】
2007082061.tif 000010